(57)【要約】【課題】障子の枠材の変形によって押縁が脱落することがないような構造を提供する。【解決手段】四周枠３，４，５，６と、四周枠内に固定されたパネル７と、からなる障子２において、四周枠を構成する少なくとも一つの枠４は、框４０と、框４０の屋内側に装着される押縁４００と、から構成されており、該押縁４００の長さ方向端部には、押縁４００の屋内側面部４０１より屋外側に位置して、突部４０７が突設されており、突部４０７は、四周枠を構成する隣位の枠３，６に屋外側から対向しており、突部４０７が隣位の枠３，６に当接することで押縁４００の脱落を防止する。【選択図】図４
2007063837.tif 000002
【特許請求の範囲】
【請求項１】
四周枠と、四周枠内に固定されたパネルと、からなる障子において、
四周枠を構成する少なくとも一つの枠は、框と、框の屋内側に装着される押縁と、から構成されており、
該押縁の長さ方向端部には、押縁の屋内側面部より屋外側に位置して、突部が突設されており、
該突部は、四周枠を構成する枠であって、該押縁の長さ方向端部に隣接している隣位の枠に、屋外側から対向しており、該突部が該隣位の枠に当接することで押縁の脱落を防止するように構成されている、
障子における押縁の脱落防止構造。
【請求項２】
前記少なくとも一つの枠は、竪框と竪框の屋内側に装着される竪押縁であり、前記突部は、竪押縁の上下端部に突設されており、前記隣位の枠は、上枠及び下枠である、請求項１に記載の押縁の脱落防止構造。
【発明の詳細な説明】
【技術分野】
【０００１】
本発明は、障子における押縁の脱落防止構造に関するものである。
【背景技術】
【０００２】
窓開口部を開閉する障子は、四周枠体と、四周枠体内に固定されたパネルとから構成されているが、四周枠体は、框と框の屋内側に設けられる押縁から構成されており、框と押縁との間にパネルの端部を固定している。
【０００３】
最近では、バール等で窓枠をこじ開けて、窓開口部から室内に侵入を試みようとする犯罪が増加している。開口枠体の竪枠と障子の竪框との間にバール等を侵入させてこじ開けようとすると、障子の竪框が変形するおそれがあり、障子の竪框が変形すると、竪框と竪押縁との係合が外れて、竪押縁が屋内側に外れて脱落してしまうおそれがある。竪押縁が脱落すると、上下の押縁やパネル自体が容易に外れてしまい、窓開口部からの侵入を可能としてしまう。
【０００４】
図６は、従来の障子の構造（パネルは省略してある）を示し、障子は上枠３、竪枠４、下枠６を有し、上枠３は上框３０と押縁３００、竪枠４は竪框４０と竪押縁４００、下枠６は下框６０と下押縁６００とから構成される。竪押縁４００は、係合部４０２，４０６を介して竪框４０の係合部４６，４５に係合することで竪框４０に装着されており、竪枠４を構成する竪框４０が変形して、竪框４０と竪押縁４００の係合が外れてしまうと、竪押縁４００は竪框４０から外れて、屋内側に容易に脱落してしまう。
【０００５】
したがって、竪框の変形によって押縁が脱落することがないような構造を有する障子が必要とされている。尚、押縁の脱落を防止するものとして特許文献１がある。しかしながら、特許文献１は、パネルを嵌め込む前段階において、枠材から押縁が外れることを防止することを目的としており、枠材と押縁との間に弾性体を介装することで、搬送中や保管中における押縁の脱落を防止するものであって、パネルが嵌め込まれた後の押縁の脱落については一切手当てされていない。また、弾性体を設けるためには、枠材と押縁の形状が限定されてしまい、また、枠体の変形によって、弾性体も外れてしまうおそれがある。
【特許文献１】実開昭６２−１７７８８７号
【発明の開示】
【発明が解決しようとする課題】
【０００６】
本発明は、障子の枠材の変形によって押縁が脱落することがないような構造を提供することを目的とする。
【課題を解決するための手段】
【０００７】
かかる課題を達成するために本発明が採用した押縁の脱落防止構造は、四周枠と、四周枠内に固定されたパネルと、からなる障子において、四周枠を構成する少なくとも一つの枠は、框と、框の屋内側に装着される押縁と、から構成されており、該押縁の長さ方向端部には、押縁の屋内側面部より屋外側に位置して、突部が突設されており、該突部は、四周枠を構成する枠であって、該押縁の長さ方向端部に隣接している隣位の枠に、屋外側から対向しており、該突部が該隣位の枠に当接することで押縁の脱落を防止するように構成されている。したがって、該押縁が該框から外れて屋内側に変位した場合においても、該突部が四周枠を構成する隣位の枠に当接して該押縁のさらなる移動が規制される。
【０００８】
前記突部は、押縁の長さ方向端部に一体的に形成しても、あるいは、押縁の長さ方向端部に取り付けた別部材によって形成してもよい。一つの態様では、押縁は屋内側面部と、屋内側面部から屋外側に延出する延出片とを、有しており、前記突部は前記延出片の長さ方向端部に設けられる。一つの態様では、前記隣位の枠は、框と、框の屋内側に装着される押縁と、から構成されており、前記突部は、隣位の枠を構成する押縁に当接する。他の態様では、隣位の枠は、別体の押縁を有しない、一体形成されている枠体である。
【０００９】
一つの態様では、前記少なくとも一つの枠は、竪框と竪框の屋内側に装着される竪押縁であり、前記突部は、竪押縁の上下端部に突設されており、前記隣位の枠は、上枠及び下枠である。また、前記少なくとも一つの枠が、上框と上框の屋内側に装着される上押縁であり、前記突部が、上押縁の左右端部に突設されている場合には、前記隣位の枠は、左右の竪枠である。同様に、前記少なくとも一つの枠が、下框と下框の屋内側に装着される下押縁であり、前記突部が、下押縁の左右端部に突設されている場合には、前記隣位の枠は、左右の竪枠である。
【発明の効果】
【００１０】
本発明によれば、押縁が装着されている框が変形することで、当該框から押縁が外れたとしても、押縁の長さ方向端部に突設した突部が、他の枠体に当接するので、それ以上の押縁の移動が規制され、押縁の脱落が防止される。
【発明を実施するための最良の形態】
【００１１】
図１に示すように、窓装置は、窓枠１と、窓枠１によって形成された窓開口部を開閉する４枚の障子２とから構成されている。窓枠１は、上枠１ａ、左右の竪枠１ｂ，１ｃ、下枠１ｄから構成されている。図１に示す窓装置は、上端部を回動支点として前後方向に回動すると共に、回動支点が上下に移動するように窓枠に取り付けられた４枚の障子２を備えたすべり出し窓であり、図示しない操作ハンドルによる開閉操作によって、障子２を回動させて窓開口部を開閉する。
【００１２】
各障子２は、上枠３、左右の竪枠４，５、下枠６から構成される四周枠体と、ガラス窓部を構成するパネル７とから構成されており、パネル７は、四周枠体内に固定されている。各枠体３，４，５，６は、框３０，４０，５０，６０と框３０，４０，５０，６０の屋内側に装着される押縁３００，４００，５００，６００とから構成されており、框３０，４０，５０，６０と押縁３００，４００，５００，６００とで形成される空間に、パネル７の端部を受け入れ、パネル７の端部と枠体とをシール材８で固定している。
【００１３】
上枠３は、上框３０と上押縁３００とからなり、上框３０と上押縁３００は、水平方向に延出する長手部材である。上框３０は、屋外側面部３１と屋内側面部３２と、屋外側面部３１と屋内側面部３２の上端部を連結する上面部３３とを有し、屋内側面部３２の下端部、上面部３３の中途部位の下面には、押縁３００が係止する係止部３４，３５が形成されている。屋外側面部３１は屋内側面部３２よりも下方に延出しており、屋外側面部３１の下端部には、シール材８が設けられる凸部３６が形成されている。
【００１４】
上押縁３００は、屋内側面部３０１と、屋内側面部３０１の上端に形成されたＬ形状の係止部３０２と、屋内側面部３０１の下端に形成された二つの水平片３０３，３０４から構成されており、上側の水平片３０４には、さらに、屋外側に向かって斜め上方に延出する延出片３０５が一体形成されており、延出片３０５の先端が係止部３０６を構成している。
【００１５】
下枠６は、下框６０と下押縁６００とからなり、下框６０と下押縁６００は、水平方向に延出する長手部材である。下框６０は、屋外側面部６１と屋内側面部６２と、屋外側面部６１と屋内側面部６２の下端側を連結する二つの水平片６３，６４とを有し、屋内側面部６２の中途部位、上側の水平片６３の中途部位の上面には、押縁６００が係止する係止部６５，６６が形成されている。屋外側面部６１の上端部には、シール材８が設けられる凸部６７が形成されている。
【００１６】
下押縁６００は、屋内側面部６０１と、屋内側面部６０１の下端に形成されたＬ形状の係止部６０２と、屋内側面部６０１の上端に形成された二つの水平片６０３，６０４から構成されており、下側の水平片６０４には、さらに、屋外側に向かって斜め下方に延出する延出片６０５が一体形成されており、延出片６０５の先端が係止部６０６を構成している。
【００１７】
竪枠４は、竪框４０と竪押縁４００とからなり、竪框４０と竪押縁４００は、垂直方向に延出する長手部材である。竪框４０は、屋外側面部４１と屋内側面部４２と、屋外側面部４１と屋内側面部４２のパネル７から離間する側を連結する側面部４３とを有し、屋内側面部４２のパネル７側の端部には、押縁４００が係止する係止部４６が、側面部４３の中途部位の内面には、パネル７側へ延出する延出片４４が形成され、延出片４４の先端には押縁４００が係止する係止部４５が形成されている。屋外側面部４１は屋内側面部４２よりもパネル７側に延出しており、屋外側面部４１の開口部側端部には、シール材８が設けられる凸部４７が形成されている。
【００１８】
竪押縁４００は、屋内側面部４０１と、屋内側面部４０１のパネル７から離間する側の端部に形成されたＬ形状の係止部４０２と、屋内側面部４０１のパネル７側に形成された二つの竪片４０３，４０４から構成されており、パネル７から離間する側の縦片４０４には、さらに、屋外側に向かって斜め外方（パネル７から離間する方向）に延出する延出片４０５が一体形成されており、延出片４０５の先端が係止部４０６を構成している。
【００１９】
延出片４０５の上下端部には、先端側半部（屋外側半部）において、突部４０７が突設されている。延出片４０５の上下端部に突部４０７を形成することで、延出片４０５の上下端部に段部が形成され、突部４０７の屋内側縁部４０７Ａが、押縁４００の外れ止め当接部を構成する。
【００２０】
このように構成された障子２において、図４の左図に示すように、通常の状態では、竪押縁４００の係止部４０２が竪框４０の係止部４６に、竪押縁４００の係止部４０６が竪框４０の係止部４５に、それぞれ係合されている。また、竪押縁４００の上下端部に突設した突部４０７の屋内側縁部４０７Ａと、上押縁３００の水平片３０３の屋外側縁部、下押縁６００の水平片６０３の屋外側縁部とは離間している。竪押縁４００の上下端部に突設した突部４０７の屋内側縁部４０７Ａは、屋外側から、上押縁３００の水平片３０３の屋外側縁部、下押縁６００の水平片６０３の屋外側縁部に対向している。
【００２１】
図４左図の状態から、バール等によるこじ開けによって竪框４０が変形し、竪框４０の係合部４５と竪押縁４００の係合部４０６の係合、竪框４０の係合部４６と竪押縁４００の係合部４０２との係合、が外れると、竪押縁４００は、竪框４０から外れる。この状態で、竪押縁４００を屋内側へ押すような力が作用すると、竪押縁４００は枠体（竪框４０）に対して、屋内側へ移動する。竪押縁４００が屋内側へある程度移動すると、竪押縁４００の上端部に突設された突部４０７の屋内側縁部４０７Ａが、上枠３を構成する上押縁３００の水平片３０３に、竪押縁４００の下端部に突設された突部４０７の屋内側縁部４０７Ａが、下枠６を構成する下押縁６００の水平片６０３に、それぞれ当接する（図４右図）。上枠３の上押縁３００は、上押縁３００の係合部３０２，３０６が、上框３０の係合部３５，３４に、それぞれ係合することで、上框３０に装着されている。下枠６の下押縁６００は、下押縁６００の係合部６０２，６０６が、下框６０の係合部６５，６６に、それぞれ係合することで、下框６０に装着されている。したがって、竪押縁４００は、上下端部に突設した突部４０７の屋内側縁部４０７Ａが上枠３の上押縁３００、下枠６の下押縁６００に当接することで、屋内側への脱落が防止される。
【００２２】
竪押縁の脱落防止構造の他の実施例を図５に示す。図５に示す実施例は、竪押縁の上下端部の構成を除き、図４に示す実施例と同じであり、同一の部材には同一の参照番号が付してあり、同一の参照番号を付した部材の説明については、図４の実施例の記載を援用することができる。
【００２３】
図４に示す実施例では、竪押縁４００の上下端部に、突部４０７を一体的に形成している。これに対して、図５に示す実施例では、竪押縁４００の上下端部に、竪押縁４００とは別体の短尺の突部形成用ピース４０８が装着され、竪押縁４００の上下端部に装着された突部形成用ピース４０８が突部を形成する。そして、突部形成用ピース４０８によって形成された突部の屋内側縁部４０８Ａが、押縁４００の外れ止め当接部を構成する。
【００２４】
突部形成用ピース４０８にはスリット４０９が形成されており、突部形成用ピース４０８は、スリット４０９を介して、竪押縁４００の上下端部に装着される。具体的には、突部形成用ピース４０８は、竪押縁４００の延出片４０５の上下端部において、屋外側半部に装着されている。突部形成用ピース４０８の材質は特には限定されず、例えば、金属、樹脂、ゴム等から構成される。竪押縁４００の上下端部に突設された突部を別体である突部形成用ピース４０８から構成することで、既存の竪押縁４００に対しても後付けで突部形成用ピース４０８を設けて押縁の脱落防止構造を得ることができる。
【００２５】
このように構成された障子２において、図５の左図に示すように、通常の状態では、竪押縁４００の係止部４０２が竪框４０の係止部４６に、竪押縁４００の係止部４０６が竪框４０の係止部４５に、それぞれ係合されている。また、竪押縁４００の上下端部に設けた突部形成用ピース４０８によって形成された突部の屋内側縁部４０８Ａと、上押縁３００の水平片３０３の屋外側縁部、下押縁６００の水平片６０３の屋外側縁部とは離間している。
【００２６】
図５左図の状態から、バール等によるこじ開けによって竪框４０が変形して、竪框４０の係合部４５と竪押縁４００の係合部４０６の係合、竪框４０の係合部４６と竪押縁４００の係合部４０２との係合、が外れると、竪押縁４００は、竪框４０から外れる。この状態で、竪押縁４００を屋内側へ押すような力が作用すると、竪押縁４００は枠体（竪框４０）に対して、屋内側へ移動する。竪押縁４００が屋内側へある程度移動すると、竪押縁４００の上端部に装着された突部形成用ピース４０８によって突設された突部の屋内側縁部４０８Ａが、上枠２を構成する上押縁３００の水平片３０３に、竪押縁４００の下端部に突設された突部の屋内側縁部４０８Ａが、下枠６を構成する下押縁６００の水平片６０３に、それぞれ当接する（図５右図）。したがって、竪押縁４００は、上下端部に突設した突部の屋内側縁部４０８Ａが上枠３の上押縁３００、下枠６の下押縁６００に当接することで、屋内側への脱落が防止される。
【００２７】
竪押縁４００の脱落防止構造について説明したが、同様の構成を上押縁３００や下押縁６００に適用することもできる。また、竪框５０、竪押縁５００の構成は、竪框４０、竪押縁４００と同じであり、竪框５０、竪押縁５００に関しては、竪框４０、竪押縁４００についての記載を援用することができる。
【産業上の利用可能性】
【００２８】
本発明は、窓開口部を開閉する障子の押縁構造に利用することができる。
【図面の簡単な説明】
【００２９】
【図１】窓装置の正面図である。
【図２】窓装置の横断面図である。
【図３】窓装置の縦断面図であり、一部の障子は省略されている。
【図４】本発明に係る押縁脱落構造の第１の実施例を示す。
【図５】本発明に係る押縁脱落構造の第２の実施例を示す。
【図６】従来の障子の押縁構造を示す。
【符号の説明】
【００３０】
１  窓枠
２  障子
３  上枠
３０  上框
３００  上押縁
４  竪枠
４０  竪框
４００  竪押縁
４０７  突部
４０８  外れ止め用ピース
５  竪枠
５０  竪框
５００  竪押縁
６  下枠
６０  下框
６００  下押縁
【図１】
2007063837.tif 000003
【図２】
2007063837.tif 000004
【図３】
2007063837.tif 000005
【図４】
2007063837.tif 000006
【図５】
2007063837.tif 000007
【図６】
2007063837.tif 000008